(57)【要約】【課題】外光の影響による照明エリアの照度変化を低減することにより、ユーザの快適性を向上することが可能な照明制御装置を提供する。【解決手段】照明制御装置は、照明装置により照らされるエリアの照度情報を取得する照度情報取得部と、照度情報に基づくエリアの照度の目標照度を設定する目標照度設定部と、照明装置を制御するための制御信号を出力する信号出力部とを備える。エリアの照度が目標照度を含む許容範囲を外れてから基準時間が経過した後、エリアの照度が許容範囲内ではない場合に、信号出力部は、エリアの照度を目標照度に追従させるための制御信号の出力を開始する。【選択図】図５
2017059438.tif 000002
【特許請求の範囲】
【請求項１】
照明装置により照らされるエリアの照度情報を取得する照度情報取得部と、
前記照度情報に基づく前記エリアの照度の目標照度を設定する目標照度設定部と、
前記照明装置を制御するための制御信号を出力する信号出力部とを備え、
前記エリアの照度が前記目標照度を含む許容範囲を外れてから基準時間が経過した後、前記エリアの照度が前記許容範囲内ではない場合に、前記信号出力部は、前記エリアの照度を前記目標照度に追従させるための前記制御信号の出力を開始する、照明制御装置。
【請求項２】
前記基準時間を設定する時間設定部と、
前記エリアの照度の単位時間あたりの変化量を算出する変化量算出部とをさらに備え、
前記時間設定部は、前記変化量の絶対値が大きいほど前記基準時間を短く設定する、請求項１に記載の照明制御装置。
【請求項３】
前記基準時間を設定する時間設定部と、
前記エリアの照度が前記許容範囲の上限値を上回った場合には、当該上回った時点の前記エリアの照度と前記上限値との第１の差分を算出し、前記エリアの照度が前記許容範囲の下限値を下回った場合には、当該下回った時点の前記エリアの照度と前記下限値との第２の差分を算出する差分算出部とをさらに備え、
前記時間設定部は、前記第１の差分の絶対値が大きいほど前記基準時間を短く設定し、前記第２の差分の絶対値が大きいほど前記基準時間を短く設定する、請求項１に記載の照明制御装置。
【請求項４】
前記基準時間を設定する時間設定部と、
前記エリアの照度の単位時間あたりの変化量を算出する変化量算出部と、
前記エリアの照度が前記許容範囲の上限値を上回った場合には、当該上回った時点の前記エリアの照度と前記上限値との第１の差分を算出し、前記エリアの照度が前記許容範囲の下限値を下回った場合には、当該下回った時点の前記エリアの照度と前記下限値との第２の差分を算出する差分算出部とをさらに備え、
前記時間設定部は、
前記変化量算出部の算出結果に基づいて前記基準時間の設定候補としての第１の候補時間を算出し、
前記差分算出部の算出結果に基づいて前記基準時間の設定候補となる第２の候補時間を算出し、
前記第１の候補時間および前記第２の候補時間のうち、時間が短い方を前記基準時間として設定する、請求項１に記載の照明制御装置。
【請求項５】
前記目標照度設定部は、前記エリアの照度が前記許容範囲を外れた時点での前記変化量が正である場合には当該変化量の絶対値が大きいほど前記目標照度を小さく設定し、当該時点での前記変化量が負である場合には当該変化量の絶対値が大きいほど前記目標照度を大きく設定する、請求項２に記載の照明制御装置。
【請求項６】
前記目標照度設定部は、前記第１の差分の絶対値が大きいほど前記目標照度を小さく設定し、前記第２の差分の絶対値が大きいほど前記目標照度を大きく設定する、請求項３に記載の照明制御装置。
【請求項７】
前記目標照度設定部は、前記変化量算出部の算出結果に基づいて前記目標照度の設定候補としての第１の候補目標照度を算出し、前記差分算出部の算出結果に基づいて前記目標照度の設定候補となる第２の候補目標照度を算出し、
前記エリアの照度が前記上限値を上回っている場合には、前記第１の候補目標照度および前記第２の候補目標照度のうちの小さい方を前記目標照度として設定し、前記エリアの照度が前記下限値を下回っている場合には、前記第１の候補目標照度および前記第２の候補目標照度のうちの大きい方を前記目標照度として設定する、請求項４に記載の照明制御装置。
【請求項８】
照明装置と、前記照明装置を制御するための照明制御装置とを備える照明制御システムであって、
前記照明制御装置は、
前記照明装置により照らされるエリアの照度情報を取得する照度情報取得部と、
前記照度情報に基づく前記エリアの照度の目標照度を設定する目標照度設定部と、
前記照明装置を制御するための制御信号を出力する信号出力部とを含み、
前記エリアの照度が前記目標照度を含む許容範囲を外れてから基準時間が経過した後、前記エリアの照度が前記許容範囲内ではない場合に、前記信号出力部は、前記エリアの照度を前記目標照度に追従させるための前記制御信号の出力を開始する、照明制御システム。
【発明の詳細な説明】
【技術分野】
【０００１】
本開示は、照明制御装置、および照明制御システムに関する。
【背景技術】
【０００２】
従来、快適な照明環境を実現するために、照明光の照度等を制御するためのシステムが知られている。例えば、特許文献１（特開２０１３−１２７９３０号公報）は、照度を調整可能な照明装置と、照明装置による照明エリア内の照度を計測する照度センサと、照度センサによる計測照度を示す照度情報信号に基づき、照明装置に、該照明装置の照度を制御するための制御信号を送出する照明制御装置とを備えた照明制御システムを開示している。この照明制御システムにおける照度センサは、照明制御装置に照度情報信号を送出し、特に、照度情報信号を所定の時間間隔で定期的に送出すると共に、計測照度の変化が所定条件を満たすときにも照度情報信号を送出する。
【先行技術文献】
【特許文献】
【０００３】
【特許文献１】特開２０１３−１２７９３０号公報
【発明の概要】
【発明が解決しようとする課題】
【０００４】
ここで、オフィスビル等の建物において、窓から太陽光等の外光が差し込む部屋に特許文献１に係る照明制御システムを導入する場合を想定する。この照明制御システムでは、外光等の影響により照明エリアの照度が閾値を下回った場合には、基準超え照度を示す照度情報信号が伝送親機に送出される。そして、伝送親機は、定期送信による次の照度情報信号の受信を待たずに、基準超え照度情報信号に基づいて照明装置を制御することにより照明エリア内の照度を許容範囲内に迅速に戻すことを検討している。
【０００５】
しかしながら、太陽光等の外光による照度は常に変動しているため、照明エリアの照度が許容範囲内から一定量外れた場合であっても、すぐに許容範囲内に収まる場合も多い。このような場合、特許文献１に係る照明制御システムのように、照明エリアの照度が閾値を下回ったことを条件として、瞬時に許容範囲内に戻すように照明装置を制御してしまうと、結果的に、照明エリアの照度が急峻に変化することになり、部屋にいる人の快適性が損なわれる可能性が高い。
【０００６】
本開示は、上記のような問題点を解決するためになされたものであって、ある局面における目的は、外光の影響による照明エリアの照度変化を低減することにより、ユーザの快適性を向上することが可能な照明制御装置を提供することである。
【課題を解決するための手段】
【０００７】
ある実施の形態に従う照明制御装置は、照明装置により照らされるエリアの照度情報を取得する照度情報取得部と、照度情報に基づくエリアの照度の目標照度を設定する目標照度設定部と、照明装置を制御するための制御信号を出力する信号出力部とを備える。エリアの照度が目標照度を含む許容範囲を外れてから基準時間が経過した後、エリアの照度が許容範囲内ではない場合に、信号出力部は、エリアの照度を目標照度に追従させるための制御信号の出力を開始する。
【発明の効果】
【０００８】
本開示によると、外光の影響による照明エリアの照度変化を低減することにより、ユーザの快適性を向上することが可能となる。
【図面の簡単な説明】
【０００９】
【図１】照明制御システムの構成を示す図である。
【図２】照明制御システムにより制御された照明エリアＡＲの照度の変化の一例を示す図である。
【図３】照明装置のハードウェア構成を示すブロック図である。
【図４】照明制御装置のハードウェア構成を示すブロック図である。
【図５】実施の形態１に従う照明制御装置の機能構成を示す模式図である。
【図６】実施の形態１に従う照明制御装置の処理手順を示すフローチャートである。
【図７】実施の形態２に従う照明制御装置の機能構成を示す模式図である。
【図８】実施の形態２に従う待機時間の設定方式を説明するための図である。
【図９】実施の形態３に従う照明制御装置の機能構成を示す模式図である。
【図１０】実施の形態３に従う待機時間の設定方式を説明するための図である。
【図１１】実施の形態４に従う照明制御装置の機能構成を示す模式図である。
【図１２】実施の形態５に従う照明制御装置の機能構成を示す模式図である。
【図１３】実施の形態５に従う目標照度の設定方式を説明するための図である。
【図１４】実施の形態６に従う照明制御装置の機能構成を示す模式図である。
【図１５】実施の形態６に従う目標照度の設定方式を説明するための図である。
【図１６】実施の形態７に従う照明制御装置の機能構成を示す模式図である。
【発明を実施するための形態】
【００１０】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１１】
［実施の形態１］
＜システムの全体構成＞
図１は、照明制御システムの構成を示す図である。図１を参照して、照明制御システム１は、照明装置１０と、照明制御装置２０と、照度センサ３０とを含む。本実施の形態では、照明制御システム１は、オフィスビル等の建物において、窓４０から太陽光等の外光が差し込む部屋に導入される場合を想定する。具体的には、照明制御システム１は、部屋の天井に配置されたＬＥＤ照明などの照明装置１０の発光光度を、机上面（照明エリアＡＲ）でユーザが希望する照度となるように制御するシステムである。
【００１２】
照明装置１０は、例えば、通信機能を有したＬＥＤ、蛍光灯、白熱灯などを光源とする照明装置であり、室内の天井または壁等に設置される。照明装置１０は、照明制御装置２０からの制御信号に基づいて、点灯、消灯および調光制御が可能に構成されている。図１では、照明装置１０の数は１台である構成を示しているが、２台以上であってもよい。
【００１３】
照度センサ３０は、照明装置１０により照らされる被照面（照明エリアＡＲ）の単位面積当たりの明るさである照度を検出可能な位置に設置される。具体的には、照度センサ３０は、照明エリアＡＲを照らす、照明装置１０の照明光Ｌ１と、照明エリアＡＲに差し込む外光（ここでは、太陽光Ｌ２）とを併せて受光し、照明光Ｌ１と太陽光Ｌ２との合成光による照度を検出する。照度センサ３０は、検出した照度を示す検出信号を照明制御装置２０に出力する。
【００１４】
なお、以下の説明では、照度センサ３０により検出される照明エリアＡＲの照度、すなわち、照明光Ｌ１と太陽光Ｌ２との合成光による照度を「エリア照度」と称する。また、エリア照度のうち照明光Ｌ１のみによる照度を「照明光Ｌ１の照度」と称し、エリア照度のうち太陽光Ｌ２のみによる照度を「太陽光Ｌ２の照度」と称する。そのため、エリア照度＝（照明光Ｌ１の照度）＋（太陽光Ｌ２の照度）の関係が成立する。
【００１５】
照明制御装置２０は、照度センサ３０の検出結果に基づいて、照明装置１０を調光制御する。典型的には、照明制御装置２０は、照明装置１０に制御信号を出力することで、当該照明装置１０から照射される光量を制御する。照明制御装置２０の制御方式についての詳細は後述する。
【００１６】
照明装置１０、照度センサ３０および照明制御装置２０は、例えば、壁に埋め込まれた有線ケーブルなどにより互いに通信可能に構成されている。ただし、これらの各装置は、Ｂｌｕｅｔｏｏｔｈ（登録商標）、無線ＬＡＮなどにより互いに無線通信可能に構成されていてもよい。
【００１７】
＜システムの動作概要＞
次に、本実施の形態に従う照明制御システム１の動作概要について説明する。
【００１８】
図２は、照明制御システムにより制御された照明エリアＡＲの照度の変化の一例を示す図である。図２の横軸は時刻を示しており、縦軸は照明制御装置２０により算出された照明エリアＡＲの照度を示している。図２では、エリア照度が許容範囲内となっている時点（時刻ｔ０）からの照度変化が示されている。許容範囲は、上限値をＬｕ（例えば、７００ｌｘ）とし、下限値をＬｄ（例えば、６００ｌｘ）とする範囲であり、例えば、ユーザなどによって予め定められている。
【００１９】
照度センサ３０からは、予め定められた検出周期（例えば、１００ｍｓ）ごとに検出したエリア照度を示す検出信号が照明制御装置２０に送信されている。また、照明制御装置２０は、受信した検出信号に基づいて、検出周期ごとにエリア照度を算出するとともに、制御タイミングになるまでエリア照度を逐次平均する。具体的には、照明制御装置２０は、１制御周期分（例えば、２秒）のエリア照度の平均値を算出して、当該算出した平均値に対応する制御信号を出力する。これは、天井に設けている照度センサ３０Ｓの下を人が通行すると、検出信号が変動してしまい、当該変動した検出信号に基づく制御信号により照明装置１０を制御すると、当該照明装置１０の発光光度が上下変動を繰り返す可能性があるためである。
【００２０】
図２を参照して、時刻ｔ０〜時刻ｔ１の期間では、エリア照度が許容範囲内にあるため、照明制御装置２０は、照明装置１０からの照明光Ｌ１の照度を維持するような制御信号を出力し続ける。そのため、この期間では照明光Ｌ１の照度は一定となる。なお、図２の例では、この期間では太陽光Ｌ２の照度も一定である場合を想定しているため、結果としてエリア照度も一定となっている。
【００２１】
次に、時刻ｔ１を過ぎると、徐々にエリア照度が低下し始める。そして、時刻ｔ２になると、エリア照度は許容範囲の下限値Ｌｄに到達する。時刻ｔ１〜時刻ｔ２の期間においてもエリア照度が許容範囲内にあるため、照明制御装置２０は、照明装置１０からの照明光Ｌ１の照度を維持するような制御信号を出力し続ける。そのため、この期間では、照明光Ｌ１の照度は一定となるため、エリア照度の照度低下は、太陽光Ｌ２の照度低下を反映している。
【００２２】
次に、時刻ｔ２以後の最初の検出周期である時刻ｔ３に、照明制御装置２０は、エリア照度が許容範囲の下限値Ｌｄを下回っていると判断する。しかし、照明制御装置２０は、当該判断を行なった後でも、予め定められた待機時間Ｔａ（例えば、２秒）だけ、照明光Ｌ１の照度を維持するような制御信号を照明装置１０に出力し続ける。
【００２３】
そして、時刻ｔ３から待機時間Ｔａ終了後の時刻ｔ４に、照明制御装置２０は、現在のエリア照度が許容範囲に収まっているか否かを判断する。図２の例の場合には、エリア照度は依然として許容範囲から外れているため、照明制御装置２０は、エリア照度を許容範囲に含まれる目標照度Ｌｔ（例えば、６５０ｌｘ）に追従させる制御を開始（制御信号の出力を開始）する。
【００２４】
具体的には、照明制御装置２０は、照明光Ｌ１の照度が一定速度で上昇（照度変化速度が一定）していくような制御信号を照明装置１０に出力する。他の例として、照明制御装置２０は、待機時間Ｔａ終了後の時刻ｔ４の時点でのエリア照度と、目標照度Ｌｔとの差分照度を算出する。照明制御装置２０は、差分照度と目標照度Ｌｔに到達させたい時間（到達希望時間）とに基づく照度変化速度で、照明光Ｌ１の照度を変化させるような制御信号を照明装置１０に出力する。さらに他の例として、照明制御装置２０は、太陽光Ｌ２の照度変化速度に応じて適宜、照明光Ｌ１の照度変化速度を決定し、当該決定した照度変化速度で照明光Ｌ１の照度を変化させるような制御信号を照明装置１０に出力する。あるいは、照明制御装置２０は、太陽光Ｌｓの照度変化速度に応じて適宜、到達希望時間を決定し、当該決定した到達希望時間でエリア照度が目標照度に到達するような制御信号を照明装置１０に送信する。
【００２５】
なお、図２の例では、時刻ｔ３で時刻ｔ２から続いていた太陽光Ｌ２の照度低下が終了し、時刻ｔ３以降は太陽光Ｌ２の照度は一定であるとしている。そのため、待機時間Ｔａ中（時刻ｔ３〜時刻ｔ４）は、エリア照度が一定となっている。
【００２６】
そして、時刻ｔ５において、エリア照度が目標照度Ｌｔに到達すると、照明制御装置２０は、目標照度Ｌｔへの追従制御を終了する。具体的には、照明制御装置２０は、現在の照明光Ｌ１の照度を維持するような制御信号を照明装置１０に出力する。これにより、照明光Ｌ１の照度は一定となる。また、上述したように、太陽光Ｌ２の照度は一定であるため、結果としてエリア照度も一定となっている。
【００２７】
上記によると、照明制御装置２０は、エリア照度が許容範囲外になっても即時に目標照度に追従させるような制御を開始するのではなく、頻繁に変動する太陽光の照度変化の影響を考慮して、待機時間経過後においても依然としてエリア照度が許容範囲外である場合に当該制御を開始する。これにより、エリア照度が急峻に変化するのを防止しつつ許容範囲内に収めることができるため、ユーザの快適性を維持することができる。また、照明装置１０に対して不必要な照明光Ｌ１の調光制御を指示することがないため、省エネルギー化の実現も期待される。
【００２８】
＜ハードウェア構成＞
（照明装置）
図３は、照明装置１０のハードウェア構成を示すブロック図である。図３を参照して、照明装置１０は、プロセッサ１０２と、メモリ１０４と、光源１０６と、通信インターフェイス１０８とを含む。これらは、内部バス１１０を介して互いに通信可能に接続されている。
【００２９】
プロセッサ１０２は、典型的には、ＣＰＵ（Central Processing Unit）やＭＰＵ（Multi Processing Unit）といった演算処理部であり、メモリ１０４に記憶されたプログラムを読み出して実行することで、照明装置１０の各部の動作を制御する。具体的には、プロセッサ１０２は、通信インターフェイス１０８を介して受信した制御信号に基づいて、光源１０６の点灯、消灯及び調光を制御する。
【００３０】
メモリ１０４は、ＲＡＭ（Random  Access  Memory）、ＲＯＭ（Read-Only  Memory）などによって実現される。メモリ１０４は、プロセッサ１０２によって実行されるプログラム、またはプロセッサ１０２によって用いられるデータなどを記憶する。通信インターフェイス１０８は、光源１０６を制御するための制御信号を照明制御装置２０から受信する。光源１０６は、例えば、ＬＥＤ、蛍光灯、白熱灯などである。
【００３１】
（照明制御装置）
図４は、照明制御装置２０のハードウェア構成を示すブロック図である。図４を参照して、照明制御装置２０は、プロセッサ２０２と、メモリ２０４と、通信インターフェイス２０６と、各種情報を表示するためのディスプレイ２０８と、入力インターフェイス２１０とを含む。これらは、内部バス２１２を介して互いに通信可能に接続されている。なお、照明制御装置２０は、ディスプレイ２０８を含まない構成であってもよい。
【００３２】
プロセッサ２０２は、メモリ２０４に記憶されたプログラムを読み出して実行することで、照明制御装置２０の各部の動作を制御する。具体的には、プロセッサ２０２は、当該プログラムを実行することによって、後述する照明制御装置２０の処理（ステップ）の各々を実現する。
【００３３】
通信インターフェイス２０６は、照度センサ３０により検出された照度を示す検出信号を受信する。また、通信インターフェイス２０６は、照明装置１０を制御するための制御信号を当該照明装置１０に送信する。入力インターフェイス２１０は、例えば、キーやタッチパネルなどから構成されており、ユーザからの各種設定や操作を受付ける。
【００３４】
（照度センサ）
照度センサ３０のハードウェア構成については公知のものを採用することができるため、ここでは詳細な説明は行なわない。例えば、照度センサ３０は、被照面（ここでは、照明エリアＡＲ）において反射した光が入射する受光素子と、受光素子に入射した光量に応じた検出信号（例えば、照度検出電圧）を出力する出力インターフェイスとを含む。受光素子としては、例えば、ＣｄＳやフォトダイオードなどを用いることができる。
【００３５】
＜機能構成＞
図５は、実施の形態１に従う照明制御装置２０Ａの機能構成を示す模式図である。図５を参照して、照明制御装置２０Ａは、その機能構成として、照度情報取得部２５２Ａと、目標照度設定部２５４Ａと、時間設定部２５６Ａと、信号出力部２５８Ａとを含む。典型的には、これらの構成は、プロセッサ２０２がメモリ２０４に格納されたプログラムを実行することによって実現される。なお、照明制御装置２０Ａは、図１に示す照明制御装置２０と対応するが、他の実施の形態との区別のため、便宜上「Ａ」といった追加の符号を付している。これは、実施の形態２〜７においても同様である。
【００３６】
照度情報取得部２５２Ａは、照明装置１０により照らされる被照面（照明エリアＡＲ）の照度情報を取得する。具体的には、照度情報取得部２５２Ａは、通信インターフェイス２０６を介して、照度情報として、照度センサ３０により検出されたエリア照度を示す検出信号を受信する。照度情報取得部２５２Ａは、検出周期ごとに受信した検出信号に基づくエリア照度を信号出力部２５８Ａに送出する。
【００３７】
目標照度設定部２５４Ａは、入力インターフェイス２１０を介して受け付けた指示（例えば、ユーザからの指示）に従って、照明エリアＡＲの目標照度Ｌｔを設定する。目標照度Ｌｔは、予め定められた許容範囲内に設定される。なお、目標照度設定部２５４Ａは、目標照度Ｌｔとともに、入力インターフェイス２１０を介して、許容範囲（すなわち、上限値Ｌｕおよび下限値Ｌｄ）を設定するように構成されていてもよい。目標照度設定部２５４Ａは、設定した目標照度Ｌｔを信号出力部２５８Ａに送出する。
【００３８】
時間設定部２５６Ａは、入力インターフェイス２１０を介して受け付けた指示（例えば、ユーザからの指示）に従って待機時間Ｔａを設定する。時間設定部２５６Ａは、設定した待機時間Ｔａを信号出力部２５８Ａに送出する。
【００３９】
信号出力部２５８Ａは、照明装置１０を制御するための制御信号を出力する。具体的には、信号出力部２５８Ａは、エリア照度を常時監視しており、エリア照度が許容範囲内に収まっている場合には、現在の照明光Ｌ１の照度を維持するような制御信号を出力する。また、信号出力部２５８Ａは、エリア照度が許容範囲を外れてから待機時間Ｔａが経過した後、当該経過後のエリア照度が許容範囲に収まっているか否かを判断する。そして、信号出力部２５８Ａは、許容範囲に収まっていると判断した場合には、現在の照明光Ｌ１の照度を維持するような制御信号を出力する。信号出力部２５８Ａは、当該経過後のエリア照度が依然として許容範囲から外れていると判断した場合には、エリア照度を目標照度Ｌｔに追従させるための制御信号の出力を開始する。
【００４０】
具体的には、信号出力部２５８Ａは、一定の照度変化速度で照明光Ｌ１の照度を変化させるような制御信号を照明装置１０に出力する。別の局面では、信号出力部２５８Ａは、待機時間Ｔａ終了後の時点でのエリア照度と、目標照度Ｌｔとの照度差を算出する。信号出力部２５８Ａは、照度差と目標照度Ｌｔへの到達希望時間とに基づく照度変化速度（＝照度差／到達希望時間）で、照明光Ｌ１の照度を変化させるような制御信号を照明装置１０に出力する。さらに別の局面では、信号出力部２５８Ａは、太陽光Ｌ２の照度変化速度に応じて適宜、照明光Ｌ１の照度変化速度を決定し、当該決定した照度変化速度で照明光Ｌ１の照度を変化させるような制御信号を照明装置１０に出力する。あるいは、信号出力部２５８Ａは、太陽光Ｌｓの照度変化速度に応じて適宜、到達希望時間を決定し、当該決定した到達希望時間でエリア照度が目標照度に到達するような制御信号を照明装置１０に送信する。
【００４１】
＜処理手順＞
図６は、実施の形態１に従う照明制御装置２０の処理手順を示すフローチャートである。典型的には、図６に示す各ステップは、照明制御装置２０のプロセッサ１０２によって実行される。ここでは、照明制御装置２０は、照明エリアＡＲの照度を常時監視しているものとする。なお、以下の処理は、所定の制御周期ごとに実行される。
【００４２】
図６を参照して、照明制御装置２０は、エリア照度が許容範囲内である否かを判断する（ステップＳ１０）。エリア照度が許容範囲内である場合には（ステップＳ１０においてＹＥＳ）、照明制御装置２０は、現在の照明光Ｌ１の照度を一定に維持するような制御信号を出力（図６中の「一定制御」に対応）して（ステップＳ１４）、処理を終了する。エリア照度が許容範囲から外れている場合には（ステップＳ１０においてＮＯ）、照明制御装置２０は、エリア照度が許容範囲を外れてから待機時間Ｔａが経過したか否か判断する（ステップＳ１２）。
【００４３】
待機時間Ｔａが経過していない場合には（ステップＳ１２においてＮＯ）、照明制御装置２０は、照明制御装置２０は一定制御を実行して（ステップＳ１４）、処理を終了する。一方、待機時間Ｔａが経過した場合には（ステップＳ１２においてＹＥＳ）、照明制御装置２０は、エリア照度を目標照度Ｌｔに追従させるための制御信号の出力（図６中の「追従制御」に対応）を行なって（ステップＳ１６）、処理を終了する。
【００４４】
上記の処理により、エリア照度が許容範囲から外れてから少なくとも待機時間Ｔａが経過するまでは一定制御が実行される。また、エリア照度が許容範囲から一旦外れた場合であっても、待機時間Ｔａが経過するまでにエリア照度が許容範囲内に再び戻った場合には一定制御が実行される。すなわち、エリア照度が許容範囲を外れてから待機時間Ｔａが経過しても依然として、エリア照度が許容範囲外である場合に追従制御が実行される。
【００４５】
なお、上記の処理では、照明制御装置２０は、追従制御を実行した後にエリア照度が許容範囲内になった場合には、一定制御を実行している。しかし、照明制御装置２０は、エリア照度が目標照度Ｌｔに到達するまで追従制御を継続し、その後、一定制御を実行するように構成されていてもよい。
【００４６】
＜利点＞
実施の形態１によると、頻繁に変動する太陽光の照度変化の影響を考慮して、エリア照度が急峻に変化するのを防止しつつ許容範囲内に収めることができるため、ユーザの快適性を維持することができる。また、照明装置に対して不必要な照明光Ｌ１の照度の調光制御を指示することがないため、省エネルギー化も期待される。
【００４７】
［実施の形態２］
実施の形態１では、待機時間Ｔａがユーザの指示に従って設定される構成について説明したが、実施の形態２では、この待機時間Ｔａを太陽光Ｌ２の照度の変化量（変化速度）に基づいて設定する構成について説明する。
【００４８】
なお、システムの全体構成、動作概要およびハードウェア構成については、実施の形態１のそれと同様であるため、その詳細な説明は繰り返さない。これは、以下の実施の形態３〜７においても同様である。
【００４９】
＜機能構成＞
図７は、実施の形態２に従う照明制御装置２０Ｂの機能構成を示す模式図である。図７を参照して、照明制御装置２０Ｂは、その機能構成として、照度情報取得部２５２Ｂと、目標照度設定部２５４Ｂと、時間設定部２５６Ｂと、信号出力部２５８Ｂと、変化量算出部２６０Ｂとを含む。照度情報取得部２５２Ｂおよび目標照度設定部２５４Ｂは、それぞれ照度情報取得部２５２Ａおよび目標照度設定部２５４Ａと実質的に同一である。
【００５０】
変化量算出部２６０Ｂは、検出周期ごとに照度情報取得部２５２Ｂから送出されるエリア照度に基づいて、単位時間（例えば、１秒）あたりの太陽光Ｌ２の変化量（照度変化速度）を算出する。
【００５１】
具体的には、変化量算出部２６０Ｂは、検出周期ごとに、現在のエリア照度から照明光Ｌ１の照度を減算することにより太陽光Ｌ２の照度を求める。なお、現在の照明光Ｌ１の照度は、信号出力部２５８Ｂから出力されている制御信号から把握することができる。
【００５２】
そして、変化量算出部２６０Ｂは、現在の検出周期での太陽光Ｌ２の照度と、１つ前の検出周期での太陽光Ｌ２の照度とから、１検出周期分の太陽光Ｌ２の照度変化量を算出することにより、照度変化速度を算出する。例えば、照度変化量および検出周期が、それぞれ１５ｌｘおよび１００ｍｓである場合には、照度変化速度は１５０ｌｘ／ｓと算出される。変化量算出部２６０Ｂは、検出周期ごとに算出した照度変化速度を時間設定部２５６Ｂに送出する。
【００５３】
時間設定部２５６Ｂは、単位時間あたりの太陽光Ｌ２の照度変化量の絶対値（照度変化速度の絶対値）が大きいほど待機時間Ｔａを短く設定する。時間設定部２５６Ｂは、許容範囲を外れてから最初の検出周期の時点（図２の時刻ｔ３）で算出される照度変化速度を用いて待機時間Ｔａを設定する。この場合、変化量算出部２６０Ｂは、例えば、当該時点で算出された照度変化速度である旨を時間設定部２５６Ｂに通知する。これにより、時間設定部２５６Ｂは、許容範囲を外れた時点前後での太陽光Ｌ２の照度変化を考慮した待機時間Ｔａを設定することができる。具体例として、時間設定部２５６Ｂは、図８に示す関係に従って待機時間Ｔａを設定する。
【００５４】
図８は、実施の形態２に従う待機時間の設定方式を説明するための図である。図８の縦軸は待機時間Ｔａを示しており、横軸は、許容範囲を外れてから最初の検出周期の時点で算出される照度変化速度（絶対値）を示している。図８を参照して、時間設定部２５６Ｂは、照度変化速度の絶対値に対して、待機時間Ｔａを線形的（比例的）に減少させる。例えば、時間設定部２５６Ｂは、照度変化速度の絶対値が１５０ｌｘ／ｓである場合には待機時間Ｔａを３ｓに設定する。ただし、照度変化速度の絶対値が大きいほど待機時間Ｔａが短くなっていればよく、図８の例のように、照度変化速度の絶対値と待機時間Ｔａとの関係が線形的でなくてもよい。なお、照度変化速度が正である（すなわち、太陽光Ｌ２の照度が上昇している）場合と、照度変化速度が負である（すなわち、太陽光Ｌ２の照度が減少している）場合とで、照度変化速度と待機時間Ｔａとの関係を異ならせてもよい。
【００５５】
再び、図７を参照して、信号出力部２５８Ｂは、時間設定部２５６Ｂにより設定された待機時間Ｔａを用いる。それ以外の構成は、信号出力部２５８Ａの構成と同じであるため、その詳細な説明は繰り返さない。
【００５６】
（変形例）
上記では、変化量算出部２６０Ｂは、単位時間あたりの太陽光Ｌ２の照度変化量の絶対値（照度変化速度の絶対値）を算出する構成について説明した。ただし、変化量算出部２６０Ｂは、検出周期ごとに照度情報取得部２５２Ｂから送出されるエリア照度に基づいて、単位時間（例えば、１秒）あたりのエリア照度の変化量（照度変化速度）を算出してもよい。この場合、時間設定部２５６Ｂは、単位時間あたりのエリア照度の照度変化量の絶対値（照度変化速度の絶対値）が大きいほど待機時間Ｔａを短く設定する。待機時間Ｔａの設定方式は、図８の例において横軸にエリア照度の照度変化速度（絶対値）を用いればよい。
【００５７】
＜処理手順＞
実施の形態２に従う照明制御装置２０の処理手順は、基本的に図６に示す処理手順と同様である。ただし、待機時間Ｔａは、照明制御装置２０（時間設定部２５６Ｂ）によって設定される。具体的には、待機時間Ｔａは、エリア照度が許容範囲を外れた最初の検出周期の時点で算出される照度変化速度と、図８とを用いて設定される。
【００５８】
＜利点＞
実施の形態２によると、太陽光Ｌ２の照度変化量（または、エリア照度の照度変化量）が大きいほど待機時間が短く設定される。そのため、エリア照度が許容範囲を外れてからすぐに許容範囲に収まらない可能性が高い場合に、許容範囲から外れ続けるのを防止することができる。また、現在の太陽光Ｌ２（またはエリア照度）の照度変化の状況に応じて待機時間Ｔａが適切に設定されるため、ユーザの快適性が向上する。
【００５９】
［実施の形態３］
実施の形態２では、待機時間Ｔａが太陽光Ｌ２の照度変化量（または、エリア照度の照度変化量）に基づいて設定される構成について説明したが、実施の形態３では、この待機時間Ｔａをエリア照度と許容範囲の上限値（または下限値）との差分に基づいて設定する構成について説明する。
【００６０】
＜機能構成＞
図９は、実施の形態３に従う照明制御装置２０Ｃの機能構成を示す模式図である。図９を参照して、照明制御装置２０Ｃは、その機能構成として、照度情報取得部２５２Ｃと、目標照度設定部２５４Ｃと、時間設定部２５６Ｃと、信号出力部２５８Ｃと、差分算出部２６２Ｃとを含む。照度情報取得部２５２Ｃおよび目標照度設定部２５４Ｃは、それぞれ照度情報取得部２５２Ａおよび目標照度設定部２５４Ａと実質的に同一である。
【００６１】
差分算出部２６２Ｃは、検出周期ごとに照度情報取得部２５２Ｃから送出されるエリア照度に基づいて、許容範囲を外れた時点でのエリア照度と、許容範囲の上限値（または下限値）との差分を算出する。具体的には、差分算出部２６２Ｃは、エリア照度が許容範囲の上限値Ｌｕを上回った場合には、当該上回った時点のエリア照度と上限値Ｌｕとの第１の照度差を算出する。また、差分算出部２６２Ｃは、エリア照度が許容範囲の下限値Ｌｄを下回った場合には、当該下回った時点のエリア照度と下限値Ｌｄとの第２の照度差を算出する。ここで、「上回った時点のエリア照度」とは、上限値Ｌｕを上回ってから最初の検出周期の時点のエリア照度であり、「下回った時点のエリア照度」とは、下限値Ｌｄを下回ってから最初の検出周期の時点のエリア照度である。差分算出部２６２Ｃは、第１の照度差あるいは第２の照度差を時間設定部２５６Ｃに送出する。
【００６２】
時間設定部２５６Ｃは、第１の照度差の絶対値が大きいほど待機時間Ｔａを短く設定し、第２の照度差の絶対値が大きいほど待機時間Ｔａを短く設定する。具体例として、図１０を参照しながら、エリア照度が許容範囲を下回った場合の待機時間Ｔａの設定方式について説明する。
【００６３】
図１０は、実施の形態３に従う待機時間の設定方式を説明するための図である。図１０の縦軸は待機時間Ｔａを示しており、横軸は、第２の照度差の絶対値を示している。
【００６４】
図１０を参照して、時間設定部２５６Ｃは、第２の照度差の絶対値に対して、待機時間Ｔａを線形的（比例的）に減少させる。例えば、時間設定部２５６Ｃは、第２の照度差の絶対値が２０ｌｘである場合には待機時間Ｔａを３ｓに設定する。ただし、第２の照度差の絶対値が大きいほど待機時間Ｔａが短くなっていればよく、図１０の例のように、第２の照度差の絶対値と待機時間Ｔａとの関係が線形的でなくてもよい。なお、エリア照度が許容範囲を上回った場合の待機時間Ｔａの設定方式についても同様に考えることができる。具体的には、時間設定部２５６Ｃは、第１の照度差の絶対値に対して、待機時間Ｔａを線形的（比例的）に減少させればよい。また、第１の照度差と待機時間Ｔａとの関係と、第２の照度差と待機時間Ｔａとの関係との関係を異ならせてもよい。
【００６５】
再び、図９を参照して、信号出力部２５８Ｃは、時間設定部２５６Ｃにより設定された待機時間Ｔａを用いる。それ以外の構成は、信号出力部２５８Ａの構成と同じであるため、その詳細な説明は繰り返さない。
【００６６】
＜処理手順＞
実施の形態３に従う照明制御装置２０の処理手順は、基本的に図６に示す処理手順と同様である。ただし、待機時間Ｔａは、照明制御装置２０（時間設定部２５６Ｃ）によって設定される。具体的には、待機時間Ｔａは、エリア照度が許容範囲を外れた最初の検出周期の時点で算出される第１の照度差（または第２の照度差）と、図１０とを用いて設定される。
【００６７】
＜利点＞
実施の形態３によると、第１の照度差（または第２の照度差）が大きいほど待機時間が短く設定される。そのため、エリア照度が許容範囲を外れてからすぐに許容範囲に収まらない可能性が高い場合に、許容範囲から外れ続けるのを防止することができる。また、現在のエリア照度の照度変化の状況に応じて待機時間Ｔａが適切に設定されるため、ユーザの快適性が向上する。
【００６８】
［実施の形態４］
実施の形態２では、待機時間Ｔａが太陽光Ｌ２の照度変化量に基づいて設定され、実施の形態３では、待機時間Ｔａが第１または第２の照度差に基づいて設定される構成について説明した。実施の形態４では、実施の形態２および３を組み合わせて、待機時間Ｔａを設定する構成について説明する。
【００６９】
＜機能構成＞
図１１は、実施の形態４に従う照明制御装置２０Ｄの機能構成を示す模式図である。図１１を参照して、照明制御装置２０Ｄは、その機能構成として、照度情報取得部２５２Ｄと、目標照度設定部２５４Ｄと、時間設定部２５６Ｄと、信号出力部２５８Ｄと、変化量算出部２６０Ｄと、差分算出部２６２Ｄとを含む。照度情報取得部２５２Ｄ、目標照度設定部２５４Ｄ、変化量算出部２６０Ｄおよび差分算出部２６２Ｄは、それぞれ照度情報取得部２５２Ａ、目標照度設定部２５４Ａ、変化量算出部２６０Ｂおよび差分算出部２６２Ｃと実質的に同一である。
【００７０】
時間設定部２５６Ｄは、変化量算出部２６０Ｄの算出結果に基づいて待機時間Ｔａの設定候補としての第１の候補時間を算出する。具体的には、変化量算出部２６０Ｄにより算出された照度変化速度の絶対値が大きいほど、第１の候補時間は短くなるように算出される。例えば、図８の縦軸を第１の候補時間に置き換えると、変化量算出部２６０Ｄにより算出された照度変化速度の絶対値が２００ｌｘ／ｓである場合には、第１の候補時間は２ｓと算出される。
【００７１】
また、時間設定部２５６Ｄは、差分算出部２６２Ｄの算出結果に基づいて待機時間Ｔａの設定候補としての第２の候補時間を算出する。具体的には、第１の照度差（または第２の照度差）の絶対値が大きいほど、第２の候補時間は短くなるように算出される。例えば、図１０の縦軸を第２の候補時間に置き換えると、差分算出部２６２Ｄにより算出された第１の照度差（または第２の照度差）の絶対値が２０ｌｘである場合には、第２の候補時間は３ｓと算出される。
【００７２】
そして、時間設定部２５６Ｄは、上記のように算出した第１の候補時間と第２の候補時間のうち、時間が短い方を待機時間Ｔａとして設定する。上記の例に従って、第１の候補時間が２ｓと算出され、第２の候補時間が３ｓと算出された場合には、待機時間Ｔａは２ｓに設定される。なお、時間が短い方を待機時間Ｔａとして設定する理由は、短い方の待機時間（例えば、２ｓ）終了後のエリア照度と、長い方の待機時間（例えば、３ｓ）終了後のエリア照度とを比較した場合、長い方の待機時間終了後のエリア照度の方が許容範囲から大きく外れている可能性が高いからである。
【００７３】
再び、図１１を参照して、信号出力部２５８Ｄは、時間設定部２５６Ｄにより設定された待機時間Ｔａを用いる。それ以外の構成は、信号出力部２５８Ａの構成と同じであるため、その詳細な説明は繰り返さない。
【００７４】
＜処理手順＞
実施の形態４に従う照明制御装置２０の処理手順は、基本的に図６に示す処理手順と同様である。ただし、待機時間Ｔａは、照明制御装置２０（時間設定部２５６Ｄ）によって設定される。具体的には、待機時間Ｔａは、第１の候補時間と第２の候補時間とのうち、時間の短い方に設定される。
【００７５】
＜利点＞
実施の形態４によると、様々な観点から把握される現在のエリア照度の照度変化の状況に応じて待機時間Ｔａが適切に設定されるため、ユーザの快適性がより向上する。
【００７６】
［実施の形態５］
実施の形態２〜４では、照度変化量や照度差に着目して待機時間Ｔａを設定する構成について説明した。以降の実施の形態５〜７では、照度変化量や照度差に着目して目標照度Ｌｔを設定する構成について説明する。実施の形態５では、目標照度Ｌｔが太陽光Ｌ２の照度変化量（または、エリア照度の照度変化量）に基づいて設定される構成について説明する。
【００７７】
＜機能構成＞
図１２は、実施の形態５に従う照明制御装置２０Ｅの機能構成を示す模式図である。図１２を参照して、照明制御装置２０Ｅは、その機能構成として、照度情報取得部２５２Ｅと、目標照度設定部２５４Ｅと、時間設定部２５６Ｅと、信号出力部２５８Ｅと、変化量算出部２６０Ｅと、差分算出部２６２Ｅとを含む。照度情報取得部２５２Ｅ、時間設定部２５６Ｅ、変化量算出部２６０Ｅおよび差分算出部２６２Ｅは、それぞれ照度情報取得部２５２Ａ、時間設定部２５６Ｄ、変化量算出部２６０Ｄおよび差分算出部２６２Ｄと実質的に同一である。
【００７８】
目標照度設定部２５４Ｅは、変化量算出部２６０Ｅにより算出された太陽光Ｌ２（またはエリア照度）の照度変化量（照度変化速度）に基づいて、目標照度Ｌｔを設定する。具体的には、目標照度設定部２５４Ｅは、エリア照度が許容範囲を外れた時点での照度変化速度が正である場合（すなわち、エリア照度が許容範囲の上限値Ｌｕを上回った場合）には当該照度変化速度の絶対値が大きいほど目標照度Ｌｔを小さく設定する。
【００７９】
また、目標照度設定部２５４Ｅは、エリア照度が許容範囲を外れた時点での照度変化速度が負である場合（すなわち、エリア照度が許容範囲の下限値Ｌｄを下回った場合）には当該照度変化速度の絶対値が大きいほど目標照度Ｌｔを大きく設定する。例えば、目標照度設定部２５４Ｅは、エリア照度が許容範囲の下限値Ｌｄを下回った場合、図１３に示す関係に従って目標照度Ｌｔを設定する。
【００８０】
図１３は、実施の形態５に従う目標照度の設定方式を説明するための図である。図１３の縦軸は目標照度Ｌｔを示しており、横軸は、許容範囲を外れてから最初の検出周期の時点で算出される照度変化速度を示している。図１３では、許容範囲の下限値Ｌｄを下回った場合（すなわち、照度変化速度が負である場合）の目標照度の設定方式を示している。また、目標照度Ｌｔは、許容範囲内に設定されるものとし、上限値Ｌｕは７００ｌｘであり下限値Ｌｄは６００ｌｘであるとする。
【００８１】
図１３を参照して、目標照度設定部２５４Ｅは、許容範囲の下限値Ｌｄを下回った時点での照度変化速度の絶対値に対して、目標照度Ｌｔを線形的（比例的）に増加させる。例えば、目標照度設定部２５４Ｅは、照度変化速度が−１５０ｌｘ／ｓである場合には目標照度Ｌｔを６７５ｌｘに設定し、照度変化速度が−３００ｌｘ／ｓである場合には目標照度Ｌｔを７００ｌｘに設定する。
【００８２】
また、許容範囲の上限値Ｌｕを上回った場合（照度変化速度が正の場合）にも同様に考えることができる。具体的には、目標照度設定部２５４Ｅは、許容範囲の上限値Ｌｕを上回った時点での照度変化速度の絶対値に対して、目標照度Ｌｔを線形的（比例的）に減少させる。例えば、目標照度設定部２５４Ｅは、照度変化速度が１５０ｌｘ／ｓである場合には目標照度Ｌｔを６２５ｌｘに設定し、照度変化速度が３００ｌｘ／ｓである場合には目標照度Ｌｔを６００ｌｘに設定する。
【００８３】
なお、図１３の例のように、照度変化速度と目標照度Ｌｔとの関係が線形的でなくてもよい。また、照度変化速度が正である場合と、照度変化速度が負である場合とで、照度変化速度と目標照度Ｌｔとの関係を異ならせてもよい。
【００８４】
再び、図１２を参照して、信号出力部２５８Ｅは、目標照度設定部２５４Ｅにより設定された目標照度Ｌｔを用いる。それ以外の構成は、信号出力部２５８Ｄの構成と同じであるため、その詳細な説明は繰り返さない。
【００８５】
＜処理手順＞
実施の形態５に従う照明制御装置２０の処理手順は、基本的に図６に示す処理手順と同様である。ただし、待機時間Ｔａは時間設定部２５６Ｅにより設定され、目標照度Ｌｔは目標照度設定部２５４Ｅにより設定される。
【００８６】
＜利点＞
実施の形態５によると、現在のエリア照度の照度変化の状況に応じて、待機時間Ｔａだけではなく目標照度Ｌｔも適切に設定されるため、ユーザの快適性がより向上する。
【００８７】
［実施の形態６］
実施の形態５では、目標照度Ｌｔが太陽光Ｌ２の照度変化量（または、エリア照度の照度変化量）に基づいて設定される構成について説明したが、実施の形態６では、この目標照度Ｌｔをエリア照度と許容範囲の上限値（または下限値）との差分に基づいて設定する構成について説明する。
【００８８】
＜機能構成＞
図１４は、実施の形態６に従う照明制御装置２０Ｆの機能構成を示す模式図である。図１４を参照して、照明制御装置２０Ｆは、その機能構成として、照度情報取得部２５２Ｆと、目標照度設定部２５４Ｆと、時間設定部２５６Ｆと、信号出力部２５８Ｆと、変化量算出部２６０Ｆと、差分算出部２６２Ｆとを含む。照度情報取得部２５２Ｆ、時間設定部２５６Ｆ、変化量算出部２６０Ｆおよび差分算出部２６２Ｆは、それぞれ照度情報取得部２５２Ａ、時間設定部２５６Ｄ、変化量算出部２６０Ｄおよび差分算出部２６２Ｄと実質的に同一である。
【００８９】
目標照度設定部２５４Ｆは、差分算出部２６２Ｆの算出結果に基づいて、目標照度Ｌｔを設定する。具体的には、目標照度設定部２５４Ｆは、第１の照度差の絶対値が大きいほど目標照度Ｌｔを小さく設定し、第２の照度差の絶対値が大きいほど目標照度Ｌｔを大きく設定する。具体例として、図１５を参照しながら、エリア照度が許容範囲を下回った場合の目標照度Ｌｔの設定方式について説明する。
【００９０】
図１５は、実施の形態６に従う目標照度の設定方式を説明するための図である。図１５の縦軸は目標照度Ｌｔを示しており、横軸は、第２の照度差の絶対値を示している。
【００９１】
図１５を参照して、目標照度設定部２５４Ｆは、第２の照度差の絶対値に対して、目標照度Ｌｔを線形的（比例的）に増加させる。例えば、目標照度設定部２５４Ｆは、当該照度差が２０ｌｘである場合には目標照度を６７５ｌｘに設定する。ただし、第２の照度差の絶対値が大きいほど目標照度Ｌｔが大きくなっていればよく、図１５の例のように、第２の照度差の絶対値と目標照度Ｌｔとの関係が線形的でなくてもよい。
【００９２】
なお、エリア照度が許容範囲を上回った場合の目標照度Ｌｔの設定方式についても同様に考えることができる。具体的には、目標照度設定部２５４Ｆは、第１の照度差の絶対値に対して、目標照度Ｌｔを線形的（比例的）に減少させる。目標照度設定部２５４Ｆは、例えば、第１の照度差が２０ｌｘである場合には目標照度を６２５ｌｘに設定する。また、第１の照度差および目標照度Ｌｔの関係と、第２の照度差および目標照度Ｌｔの関係とを異ならせてもよい。
【００９３】
再び、図１４を参照して、信号出力部２５８Ｆは、目標照度設定部２５４Ｆにより設定された目標照度Ｌｔを用いる。それ以外の構成は、信号出力部２５８Ｆの構成と同じであるため、その詳細な説明は繰り返さない。
【００９４】
＜処理手順＞
実施の形態６に従う照明制御装置２０の処理手順は、基本的に図６に示す処理手順と同様である。ただし、待機時間Ｔａは時間設定部２５６Ｆにより設定され、目標照度Ｌｔは目標照度設定部２５４Ｆにより設定される。
【００９５】
＜利点＞
実施の形態６によると、現在のエリア照度の照度変化の状況に応じて、待機時間Ｔａだけではなく目標照度Ｌｔも適切に設定されるため、ユーザの快適性がより向上する。
【００９６】
［実施の形態７］
実施の形態５では、目標照度Ｌｔが太陽光Ｌ２の照度変化量に基づいて設定され、実施の形態６では、目標照度Ｌｔが第１または第２の照度差に基づいて設定される構成について説明した。実施の形態７では、実施の形態５および６を組み合わせて、目標照度Ｌｔを設定する構成について説明する。
【００９７】
＜機能構成＞
図１６は、実施の形態７に従う照明制御装置２０Ｇの機能構成を示す模式図である。図１６を参照して、照明制御装置２０Ｇは、その機能構成として、照度情報取得部２５２Ｇと、目標照度設定部２５４Ｇと、時間設定部２５６Ｇと、信号出力部２５８Ｇと、変化量算出部２６０Ｇと、差分算出部２６２Ｇとを含む。照度情報取得部２５２Ｇ、時間設定部２５６Ｇ、変化量算出部２６０Ｇおよび差分算出部２６２Ｇは、それぞれ照度情報取得部２５２Ａ、時間設定部２５６Ｄ、変化量算出部２６０Ｄおよび差分算出部２６２Ｄと実質的に同一である。
【００９８】
目標照度設定部２５４Ｇは、変化量算出部２６０Ｇの算出結果に基づいて目標照度Ｌｔの設定候補としての第１の候補目標照度を算出する。具体的には、エリア照度が許容範囲の上限値Ｌｕを上回った場合、当該上回った時点での照度変化速度（＞０）の絶対値が大きいほど、第１の候補目標照度は小さくなるように算出される。エリア照度が許容範囲の下限値Ｌｄを下回った場合、当該下回った時点での照度変化速度（＜０）の絶対値が大きいほど、第１の候補目標照度は大きくなるように算出される。例えば、エリア照度が許容範囲の下限値Ｌｄを下回った場合について、図１３の縦軸を第１の候補目標照度に置き換えると、照度変化速度（＜０）が−１８０ｌｘ／ｓである場合には、第１の候補目標照度は６８０ｌｘと算出される。
【００９９】
また、目標照度設定部２５４Ｇは、差分算出部２６２Ｇの算出結果に基づいて目標照度Ｌｔの設定候補としての第２の候補目標照度を算出する。具体的には、第１の照度差（上限値Ｌｕを上回った時点のエリア照度と、上限値Ｌｕとの照度差）の絶対値が大きいほど、第２の候補目標照度は小さくなるように算出される。また、第２の照度差（下限値Ｌｄと、下限値Ｌｄを下回った時点のエリア照度との照度差）の絶対値が大きいほど、第２の候補目標照度は大きくなるように算出される。例えば、エリア照度が許容範囲の下限値Ｌｄを下回った場合について、図１５の縦軸を第２の候補目標照度に置き換えると、第２の照度差の絶対値が２０ｌｘである場合には、第２の候補目標照度は６７５ｌｘと算出される。
【０１００】
そして、目標照度設定部２５４Ｇは、エリアの照度が上限値Ｌｕを上回っている場合には、第１の候補目標照度および第２の候補目標照度のうちの小さい方を目標照度Ｌｔとして設定する。また、目標照度設定部２５４Ｇは、エリアの照度が下限値Ｌｄを下回っている場合には、第１の候補目標照度および第２の候補目標照度のうちの大きい方を目標照度Ｌｔとして設定する。例えば、エリア照度が許容範囲の下限値Ｌｄを下回った場合について、上記の例に従って第１の候補目標照度が６８０ｌｘと算出され、第２の候補目標照度が６７５ｌｘと算出された場合には、目標照度Ｌｔは６８０ｌｘに設定される。
【０１０１】
再び、図１６を参照して、信号出力部２５８Ｇは、目標照度設定部２５４Ｇにより設定された目標照度Ｌｔを用いる。それ以外の構成は、信号出力部２５８Ｄの構成と同じであるため、その詳細な説明は繰り返さない。
【０１０２】
＜処理手順＞
実施の形態７に従う照明制御装置２０の処理手順は、基本的に図６に示す処理手順と同様である。待機時間Ｔａは時間設定部２５６Ｇにより設定され、目標照度Ｌｔは目標照度設定部２５４Ｇにより設定される。
【０１０３】
＜利点＞
実施の形態７によると、様々な観点から把握される現在のエリア照度の照度変化の状況に応じて、待機時間Ｔａだけではなく目標照度Ｌｔも適切に設定されるため、ユーザの快適性がより向上する。
【０１０４】
［その他の実施の形態］
上述した実施の形態では、照明装置１０と照度センサ３０とが別体に設けられる構成について説明したが、これらは一体となっている構成であってもよい。
【０１０５】
上述した実施の形態では、照明制御装置２０は、エリア照度が許容範囲内である場合に、現在の照明光の照度を一定に維持するような制御信号を出力（一定制御）する構成について説明したが、当該構成に限られない。例えば、照明制御装置２０は、エリア照度が許容範囲内である場合に、制御信号を照明装置１０に出力しないように構成されていてもよい。この場合、照明装置１０は、照明制御装置２０から次の制御信号を受信するまで現在の照明光の照度を維持する。当該構成によると、照明制御装置２０の処理負荷を軽減することができる。
【０１０６】
上述した実施の形態５〜７では、待機時間Ｔａの設定方式は、実施の形態４に従う設定方式を採用する構成について説明したが、当該構成に限られない。実施の形態５〜７の各々は、実施の形態１〜３に従う待機時間ａの設定方式を採用する構成であってもよい。
【０１０７】
また、コンピュータを機能させて、上述のフローチャートで説明したような制御を実行させるプログラムを提供することもできる。このようなプログラムは、コンピュータに付属するフレキシブルディスク、ＣＤ−ＲＯＭ（Compact  Disk  Read  Only  Memory）、ＲＯＭ、ＲＡＭおよびメモリカードなどの一時的でないコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１０８】
プログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本実施の形態にかかるプログラムに含まれ得る。
【０１０９】
また、本実施の形態にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本実施の形態にかかるプログラムに含まれ得る。
【０１１０】
［まとめ］
本実施の形態は次のように要約することができる。
【０１１１】
（１）照明制御装置２０Ａは、照明装置１０により照らされる照明エリアＡＲの照度情報を取得する照度情報取得部２５２Ａと、照度情報に基づく照明エリアＡＲの照度の目標照度Ｌｔを設定する目標照度設定部２５４Ａと、照明装置１０を制御するための制御信号を出力する信号出力部２５８Ａとを備える。照明エリアＡＲの照度が目標照度Ｌｔを含む許容範囲を外れてから待機時間Ｔａが経過した後、照明エリアＡＲの照度が許容範囲内ではない場合に、信号出力部２５８Ａは、照明エリアＡＲの照度を目標照度Ｌｔに追従させるための制御信号の出力を開始する。
【０１１２】
上記構成によると、頻繁に変動する外光の照度変化の影響を考慮して、エリア照度が急峻に変化するのを防止しつつ許容範囲内に収めることができるため、ユーザの快適性を維持することができる。また、照明装置１０に対して不必要な照明光の照度の調光制御を指示することがないため、省エネルギー化も期待される。
【０１１３】
（２）照明制御装置２０Ｂは、待機時間Ｔａを設定する時間設定部２５６Ｂと、照明エリアＡＲの照度の単位時間あたりの変化量を算出する変化量算出部２６０Ｂとをさらに備える。時間設定部２５６Ｂは、変化量の絶対値が大きいほど待機時間Ｔａを短く設定する。
【０１１４】
上記構成によると、エリア照度が許容範囲を外れてからすぐに許容範囲に収まらない可能性が高い場合に、許容範囲から外れ続けるのを防止することができる。また、現在のエリア照度の照度変化の状況に応じて待機時間Ｔａが適切に設定されるため、ユーザの快適性が向上する。
【０１１５】
（３）照明制御装置２０Ｃは、待機時間Ｔａを設定する時間設定部２５６Ｃと、照明エリアＡＲの照度が許容範囲の上限値Ｌｕを上回った場合には、当該上回った時点の照明エリアＡＲの照度と上限値Ｌｕとの第１の照度差を算出し、照明エリアＡＲの照度が許容範囲の下限値Ｌｄを下回った場合には、当該下回った時点の照明エリアＡＲの照度と下限値Ｌｄとの第２の照度差を算出する差分算出部２６２Ｃとをさらに備える。時間設定部２５６Ｃは、第１の照度差の絶対値が大きいほど待機時間Ｔａを短く設定し、第２の照度差の絶対値が大きいほど待機時間Ｔａを短く設定する。
【０１１６】
上記構成によると、エリア照度が許容範囲を外れてからすぐに許容範囲に収まらない可能性が高い場合に、許容範囲から外れ続けるのを防止することができる。また、現在のエリア照度の照度変化の状況に応じて待機時間Ｔａが適切に設定されるため、ユーザの快適性が向上する。
【０１１７】
（４）照明制御装置２０Ｄは、待機時間Ｔａを設定する時間設定部２５６Ｄと、照明エリアＡＲの照度の単位時間あたりの変化量を算出する変化量算出部２６０Ｄと、照明エリアＡＲの照度が許容範囲の上限値Ｌｕを上回った場合には、当該上回った時点の照明エリアＡＲの照度と上限値Ｌｕとの第１の照度差を算出し、照明エリアＡＲの照度が許容範囲の下限値Ｌｄを下回った場合には、当該下回った時点の照明エリアＡＲの照度と下限値Ｌｄとの第２の照度差を算出する差分算出部２６２Ｄとをさらに備える。時間設定部２５６Ｄは、変化量算出部２６０Ｄの算出結果に基づいて待機時間Ｔａの設定候補としての第１の候補時間を算出し、差分算出部２６２Ｄの算出結果に基づいて待機時間Ｔａの設定候補となる第２の候補時間を算出し、第１の候補時間および第２の候補時間のうち、時間が短い方を待機時間Ｔａとして設定する。
【０１１８】
上記構成によると、様々な観点から把握される現在のエリア照度の照度変化の状況に応じて待機時間Ｔａが適切に設定されるため、ユーザの快適性がより向上する。
【０１１９】
（５）目標照度設定部２５４Ｅは、照明エリアＡＲの照度が許容範囲を外れた時点での変化量が正である場合には当該変化量の絶対値が大きいほど目標照度Ｌｔを小さく設定し、当該時点での変化量が負である場合には当該変化量の絶対値が大きいほど目標照度Ｌｔを大きく設定する。
【０１２０】
上記構成によると、現在のエリア照度の照度変化の状況に応じて、待機時間Ｔａだけではなく目標照度Ｌｔも適切に設定されるため、ユーザの快適性がより向上する。
【０１２１】
（６）目標照度設定部２５４Ｆは、第１の照度差の絶対値が大きいほど目標照度Ｌｔを小さく設定し、第２の照度差の絶対値が大きいほど目標照度Ｌｔを大きく設定する。
【０１２２】
上記構成によると、現在のエリア照度の照度変化の状況に応じて、待機時間Ｔａだけではなく目標照度Ｌｔも適切に設定されるため、ユーザの快適性がより向上する。
【０１２３】
（７）目標照度設定部２５４Ｇは、変化量算出部２６０Ｇの算出結果に基づいて目標照度Ｌｔの設定候補としての第１の候補目標照度を算出し、差分算出部２６２Ｇの算出結果に基づいて目標照度Ｌｔの設定候補となる第２の候補目標照度を算出する。目標照度設定部２５４Ｇは、照明エリアＡＲの照度が上限値Ｌｕを上回っている場合には、第１の候補目標照度および第２の候補目標照度のうちの小さい方を目標照度Ｌｔとして設定し、照明エリアＡＲの照度が下限値Ｌｄを下回っている場合には、第１の候補目標照度および第２の候補目標照度のうちの大きい方を目標照度Ｌｔとして設定する。
【０１２４】
上記構成によると、様々な観点から把握される現在のエリア照度の照度変化の状況に応じて、待機時間Ｔａだけではなく目標照度Ｌｔも適切に設定されるため、ユーザの快適性がより向上する。
【０１２５】
（８）照明装置１０と、照明装置１０を制御するための照明制御装置２０とを備える照明制御システム１であって、照明制御装置２０Ａは、照明装置１０により照らされる照明エリアＡＲの照度情報を取得する照度情報取得部２５２Ａと、照度情報に基づく照明エリアＡＲの照度の目標照度Ｌｔを設定する目標照度設定部２５４Ａと、照明装置１０を制御するための制御信号を出力する信号出力部２５８Ａとを含む。照明エリアＡＲの照度が目標照度Ｌｔを含む許容範囲を外れてから待機時間Ｔａが経過した後、照明エリアＡＲの照度が許容範囲内ではない場合に、信号出力部２５８Ａは、照明エリアＡＲの照度を目標照度Ｌｔに追従させるための制御信号の出力を開始する。
【０１２６】
上記構成によると、頻繁に変動する外光の照度変化の影響を考慮して、エリア照度が急峻に変化するのを防止しつつ許容範囲内に収めることができるため、ユーザの快適性を維持することができる。また、照明装置１０に対して不必要な照明光の照度の調光制御を指示することがないため、省エネルギー化も期待される。
【０１２７】
上述の実施の形態として例示した構成は、本発明の構成の一例であり、別の公知の技術と組み合わせることも可能であるし、本発明の要旨を逸脱しない範囲で、一部を省略する等、変更して構成することも可能である。
【０１２８】
また、上述した実施の形態において、他の実施の形態で説明した処理や構成および変形例で説明した処理や構成を適宜採用して実施する場合であってもよい。
【０１２９】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１３０】
１  照明制御システム、１０  照明装置、２０  照明制御装置、３０  照度センサ、４０  窓、１０２，２０２  プロセッサ、１０４，２０４  メモリ、１０６  光源、１０８，２０６  通信インターフェイス、１１０，２１２  内部バス、２０８  ディスプレイ、２１０  入力インターフェイス、２５２Ａ〜２５２Ｇ  照度情報取得部、２５４Ａ〜２５４Ｇ  目標照度設定部、２５６Ａ〜２５６Ｇ  時間設定部、２５８Ａ〜２５８Ｇ  信号出力部、２６０Ｂ，２６０Ｄ〜２６０Ｇ  変化量算出部、２６２Ｃ〜２６２Ｇ  差分算出部、ＡＲ  照明エリア、Ｌ１  照明光、Ｌ２  太陽光。
【図１】
2017059438.tif 000003
【図２】
2017059438.tif 000004
【図３】
2017059438.tif 000005
【図４】
2017059438.tif 000006
【図５】
2017059438.tif 000007
【図６】
2017059438.tif 000008
【図７】
2017059438.tif 000009
【図８】
2017059438.tif 000010
【図９】
2017059438.tif 000011
【図１０】
2017059438.tif 000012
【図１１】
2017059438.tif 000013
【図１２】
2017059438.tif 000014
【図１３】
2017059438.tif 000015
【図１４】
2017059438.tif 000016
【図１５】
2017059438.tif 000017
【図１６】
2017059438.tif 000018